(57)【要約】【課題】パネルへのモジュラージャックの着脱が容易で、カールコードの着脱の際にプリント基板との接続部に応力が生じない通話装置の部品取付構造、及びフックスイッチの位置決め及び取付けが容易かつ確実な通話装置の部品取付構造を提供する。【解決手段】モジュラージャック３０及びこれを搭載したプリント基板３４を、通話器パネル２の取付部１０に設けた係止片１４と保持部１６ａ，１６ｂとの間に挾持し、かつ、モジュラージャック３０の上端部を係止片１４に設けた係止爪１５で係止するようにした。【選択図】　　　　図１
2004104469.tif 000002
【特許請求の範囲】
【請求項１】
プリント基板に搭載されたモジュラージャックと、
背面の一方の側に前記プリント基板の長さとほぼ等しい間隔で設けられたほぼＬ字状の一対の保持部、該保持部の内側に設けられ前記モジュラージャックの接続口が位置する開口部、及び該開口部の内側に立設され上部に係止爪を有する係止片が設けられた取付部を備えた通話器パネルとからなり、
前記プリント基板を前記保持部に沿って挿入すると共に、前記モジュラージャックを前記係止片に当接させ、該係止片の係止爪を前記モジュラージャックの上端部に係止させたことを特徴とする通話装置の部品取付構造。
【請求項２】
プリント基板に搭載されたフックスイッチと、
該フックスイッチを制御するフックと、
背面に設けられ前記フックを支持する支持部及びフックの一部が挿入される開口部、該開口部の両側に立設され上部に内側及び下方に開口する嵌合溝を有する一対の支持支柱、及び前記開口部の下方に固定支柱が立設された取付部を備えた通話器パネルとからなり、
前記支持部にフックを回動自在に取付け、前記フックスイッチを前記フックと対向させて前記プリント基板の上端部を前記支持支柱の嵌合溝に嵌入すると共に、前記固定支柱に固定したことを特徴とする通話装置の部品取付構造。
【発明の詳細な説明】
【０００１】
【発明の属する技術分野】
本発明は、例えば、集合住宅の管理員室あるいは高層ビル、その他の大規模建築物等の管理室に設置され、通話、情報、警報等を伝達するための防災監視盤に設けられた通話装置に係り、さらに詳しくは、この通話装置を構成する部品の取付構造に関すものである。
【０００２】
【従来の技術】
従来のこの種の防災監視盤に設けた通話装置は、一般に、キャビネット本体の正面に設けた操作部と一体に設けられており、操作部の背面には、送受話器のカールコードとコネクタ接続されるモジュラージャック、及び送受話器を取外し又は係止させることにより、通話回路がＯＮ，ＯＦＦされるフックスイッチが設けられている（例えば、特許文献１参照）。
【０００３】
【特許文献１】
特開２０００−２８６５７３号公報（第３頁、図５〜７）。
【０００４】
【発明が解決しようとする課題】
上記のような従来の通話装置においては、モジュラージャックはプリント基板にはんだ付けされ、その下部を操作部の背面に設けた方形の枠体内に嵌入すると共に、プリント基板を操作部の背面に設けた互いに反対方向に向いた係止爪に係止させて固定している。このように、モジュラージャックは直接操作部に固定されていないため、送受話器のカールコードに設けたコネクタをモジュラージャックに着脱する際に、モジュラージャックに押圧力又は引張り力が作用してプリント基板との接続部に大きな応力が作用し、はんだ接続部にひび割れが生じたり剥離したりするおそれがあった。
また、プリント基板が互いに反対方向に向いた係止爪に係止されて固定されているため、操作部への着脱がきわめて面倒であった。
【０００５】
さらに、フックスイッチは、操作部の背面に設けた表示、操作用の電気部品が実装された大きなプリント基板に設けられているため、厳密な位置決めが要求されるフックスイッチのレイアウト及びプリント基板の操作部への取付けが面倒であった。
【０００６】
本発明は、上記の課題を解決するためになされたもので、パネルへのモジュラージャックの着脱が容易で所定の位置に確実に固定することができ、カールコードの着脱の際にプリント基板との接続部に応力が生じることのない通話装置の部品取付構造を提供することを目的としたものである。
また、本発明は、フックスイッチの位置決め及び取付けがきわめて容易かつ確実な通話装置の部品取付構造を提供することを目的としたものである。
【０００７】
【課題を解決するための手段】
本発明に係る通話装置の部品取付構造は、プリント基板に搭載されたモジュラージャックと、背面の一方の側に前記プリント基板の長さとほぼ等しい間隔で設けられたほぼＬ字状の一対の保持部、該保持部の内側に設けられ前記モジュラージャックの接続口が位置する開口部、及び該開口部の内側に立設され上部に係止爪を有する係止片が設けられた取付部を備えた通話器パネルとからなり、前記プリント基板を前記保持部に沿って挿入すると共に、前記モジュラージャックを前記係止片に当接させ、該係止片の係止爪を前記モジュラージャックの上端部に係止させたものである。
【０００８】
また、本発明に係る通話装置の部品取付構造は、プリント基板に搭載されたフックスイッチと、該フックスイッチを制御するフックと、背面に設けられ前記フックを支持する支持部及びフックの一部が挿入される開口部、該開口部の両側に立設され上部に内側及び下方に開口する嵌合溝を有する一対の支持支柱、及び前記開口部の下方に固定支柱が立設された取付部を備えた通話器パネルとからなり、前記支持部にフックを回動自在に取付け、前記フックスイッチを前記フックと対向させて前記プリント基板の上端部を前記支持支柱の嵌合溝に嵌入すると共に、前記固定支柱に固定したものである。
【０００９】
【発明の実施の形態】
図６は本発明に係る通話装置を備えた防災監視盤の一例の正面図である。図において、１００はキャビネット本体で、正面中央部には操作パネル１０１が設けられている。この操作パネル１０１には、表示・操作部としての各種機器の表示器及びスイッチ等１０２が設けられており、また、各住宅情報盤や共同玄関機等との通話を行うための通話装置１が設けられている。なお、６０は送受話器、６１は一端が送受話器６０に接続され、他端に設けたコネクタが操作パネル１０１に設けた開口部１２を介してモジュラージャックに着脱自在に接続されるカールコードである。以下、この通話装置１について詳細に説明する。
【００１０】
図１は本発明の一実施の形態に係る通話装置の部品取付構造の背面図、図２は図１の側面図、図３は図１の分解斜視図である。
図において、２は長方形の通話器パネルで、前面の上部には送受話器６０の受話部が係止される上凹部３が設けられ、下部には送受話器６０の送話部が嵌合する下凹部４が設けられており、背面（図の表面）には周壁５が設けられている。６ａ〜６ｄはこの通話器パネル２を操作パネル１０１に着脱自在に装着するためのフックである。
【００１１】
１０は下凹部４の一方の側において、通話器パネル２の背面に設けられたモジュラージャックの取付部であるが、先ず、モジュラージャック３０について説明する。モジュラージャック３０は、図３に示すように（図３において、左側は正面図、右側は背面図である）、係止爪３１ａ，３１ｂによりプリント基板３４に取付けられ、また、内部配線ははんだによりプリント基板３４の回路パターンに接続されており、両側壁の下部には係止突部３２ａ，３２ｂが設けられている。３３は下面に開口するカールコード６１のコネクタの接続口である（接続端子等は省略してある）。３５はプリント基板３４の回路パターンに接続されたコネクタである。なお、プリント基板３４は、コネクタ３５を介してキャビネット本体１００内の図示しないメインのプリント基板に接続される。
【００１２】
再びモジュラージャック３０の取付部において、１１はモジュラージャック３０の下部が嵌入しうる大きさの嵌合枠部で、その底部にはモジュラージャック３０の接続口３３に対応して開口部１２が形成されており、この開口部１２に干渉しない大きさの底板１３が設けられている。１４は嵌合枠部１１の下凹部４側（以下、内側という）に立設された係止片で、上部には断面ほぼ三角形状の係止爪１５が設けられており、底板１３から係止爪１５までの高さＨ１は、モジュラージャック３０の高さＨ２に対応する。
【００１３】
１６ａ，１６ｂは周壁５を切除して外側にＬ字状に折り曲げられた一対のプリント基板３４の保持部で、その内のり間の間隔Ｌ１はプリント基板３０の長さＬ２とほぼ等しく、その折り曲げ深さｔ１はプリント基板３０の板厚ｔ２に対応する。
【００１４】
２０はフックスイッチの取付部で、上凹部３の底部背面の下部側には長方形の開口部２１が設けられており、その下端部には開口部２１側に突出する係止部２１ａが設けられている。２２ａ，２２ｂは開口部２１の上方において上凹部３の背面に設けられた後述のフック４０の支持部で、ピン孔２３が設けられている。２４ａ，２４ｂは開口部２１の両側に立設された一対の支持支柱で、その上端部には内側及び下方に開口する嵌合溝２５が設けられている。２６は開口部２１の下方において通話器パネル２の背面に立設された固定支柱で、ねじ穴２７が設けられており、その上端部は、支持支柱２４ａ，２４ｂの嵌合溝２５の下縁とほぼ同一平面上に位置する。
【００１５】
４０はフックで、上部側（図の左方）には支持部２２ａ，２２ｂのピン孔２３に回動自在に嵌入されるピン４１ａ，４１ｂが設けられており、下部には側面がほぼ円弧状に形成されたおたま状で、開口部２１に嵌合自在のフック部４２が設けられている。４３はフック部４２の前面側の下部に突設された係止突片である。
【００１６】
５０はフックスイッチで、その両側に回動自在に設けたアーム５１ａ，５１ｂの間には、スイッチのアクチュエータ５２が設けられており、アーム５１ａ，５１ｂは付勢手段（図示せず）により図の上方（後述のプリント基板から離れる方向）に付勢され、その付勢範囲はストッパ５３ａ，５３ｂにより規制されている。５５はプリント基板で、フックスイッチ５０は４本の係止爪５４（図５参照）によりプリント基板５５に固定され、また、内部配線はプリント基板５５の回路パターンにはんだ付けされている。そして、アクチュエータ５２が図の位置（プリント基板５５から離れた位置）にあるときは、フックスイッチ５０はＯＮ、プリント基板５５に近付いた位置にあるときはＯＦＦとなる。５６は固定支柱２６に対応した位置に設けたねじ挿通穴、５７はプリント基板５５の回路パターン接続されたコネクタである。なお、プリント基板５５の幅Ｗ２は支持支柱２４ａ，２４ｂの嵌合溝２５の内のり間隔Ｗ１とほぼ等しく、板厚ｔ４は嵌合溝２５の上下幅ｔ３とほぼ等しく形成されている。また、プリント基板５５は、コネクタ５７を介してキャビネット本体１００内の図示しないメインのプリント基板に接続される。
【００１７】
次に、取付部１０へのモジュラージャック３０の取付け手順の一例を、図４により説明する。
先ず、図４（ａ）に示すように、モジュラージャック３０を、接続口３３（図３参照）を下にし、プリント基板３４を外側にして取付部１０上に位置させる。そして、プリント基板３４の両端部を周壁５に設けた保持部１６ａ，１６ｂの内壁に沿って、位置決めしながら下方に押し込む。このとき、係止片１４はその係止爪１５がモジュラージャック３０の壁面に押されて弾性変形するので、モジュラージャック３０を容易に押し込むことができる。
【００１８】
さらにモジュラージャック３０を押し込むと、その下端部が嵌合枠部１１内に嵌入され、係止突部３２ａ，３２ｂが嵌合枠部１１の上縁部に当接して停止する。このとき、モジュラージャック３０の前壁が係止片１４に当接し、また係止爪１５がモジュラージャック３０の上面に係止して、接続口３３は通話パネル２に設けた開口部１２上に位置する。このときの状態を図４（ｂ）に示す。
モジュラージャック３０を取付部１０から取り外す場合は、係止片１４の係止爪１５を指で押して弾性変形させながらプリント基板３４を引き上げれば、容易に取り出すことができる。
【００１９】
本発明によれば、モジュラージャック３０を容易かつ確実に取付部１０に取付けることができ、その前後方向（図４（ｂ）の矢印Ａ方向）は、主として係止片１４と保持部１６ａ，１６ｂにより、また左右方向（矢印Ｂ方向）は、主として嵌合枠部１１及び保持部１６ａ，１６ｂによって規制され、さらに、上下方向（矢印Ｃ方向）は嵌合枠部１１及び係止爪１５によって規制されるので、所定の位置に確実に取付けられ、移動することもない。
【００２０】
また、モジュラージャック３０は係止爪３１ａ，３１ｂによりプリント基板３４に取付けられ、かつ、係止爪１５により取付部１０に固定されているので、通話器パネル２の開口部１２に位置する接続口３３に、送受話器６０のカールコード６１に設けたコネクタを着脱する際にモジュラージャック３０が動揺することがなく、したがって、プリント基板３４へのはんだ接続部に応力が生ずることもない。
【００２１】
さらに、保持部材１６ａ，１６ｂは、モジュラージャック３０の取付部の機能を有するばかりでなく、通話器パネル２のそり等の防止補強用の周壁５としての機能も有しているので、通話器パネル２の形状を複雑にすることなく形成することができる。また、モジュラージャック３０は、キャビネット本体１００内の図示しないメインのプリント基板ではなく、小形のプリント基板３４に独立して搭載したので、故障の際の交換作業が容易である。
【００２２】
次に、フックスイッチの取付部２０へのフック４０及びフックスイッチ５０の取付け手順の一例について、図３、図５により説明する。
先ず、フックの支持部２２ａ，２２ｂのピン孔２３に、内側からフック４０のピン４１ａ，４１ｂを挿入する。これにより、フック４０は支持部２２ａ，２２ｂに回動自在に支持され、フック部４２の一部が自重により開口部２１内に位置する。
【００２３】
ついで、フックスイッチ５０が取付けられたプリント基板５５を、フックスイッチ５０側を下向き（図３のプリント基板５５を裏返しにして）に、かつ、取付部２０に取付けられたフック４０と対向させて取付部２０上に位置させる。そして、プリント基板５５の上端部両側を支持支柱２４ａ，２４ｂの嵌合溝２５に嵌入すると共に、ねじ挿通穴５６に挿通したねじ５８を固定支柱２６のねじ穴２７に螺入し、固定する。これにより、取付部２０へのフック４０とフックスイッチ５０の取付けが完了する。なお、プリント基板５５を固定支柱２６にねじ止めする場合を示したが、ねじ止め以外の手段により固定支柱２６に固定するようにしてもよい。
【００２４】
このとき、フックスイッチ５０のアクチュエータ５２は、アーム５１ａ，５１ｂによりプリント基板５５から遠ざかる方向に付勢され、その先端部によりフック４０の先端部を押圧して回動させ、フック部４２を開口部２１内に挿入させる。フック４０が通話器パネル２の上凹部３に当って停止すると、アクチュエータ５２はその先端部がフック４０に当接した状態で停止する。このとき、フックスイッチ５０はＯＮとなる。このときの状態を図５（ａ）に示す。
【００２５】
次に、図６に示すように、通話器パネル２の前面側において、上凹部３と下凹部４との間に送受話器６０を掛けると、図５（ｂ）に示すように、送受話器６０の受話部６２側に設けた係止凹部６３が、通話パネル２の開口部２１の下端部に設けた係止部２１ａに係止し、保持される。
このとき、送受話器６０の受話部６２がフック４０のフック部４２を押圧し、フック４０をピン４１ａ，４１ｂを軸に反時計回り方向に回動させる。フック４０の回動に伴い、これに当接するフックスイッチ５０のアクチュエータ５２もプリント基板５５に近づく方向に回動し、これにより、フックスイッチ５０はＯＦＦとなる。このときの状態を図５（ｂ）に示す。
通話等のため送受話器６０を通話パネル２から外せば再び図５（ａ）の状態になり、通話回路はＯＮになる。
【００２６】
本発明によれば、フックスイッチ５０を小形のプリント基板５５に独立して搭載し、このプリント基板５５の上端部を通話パネル２に立設した一対の支持支柱２４ａ，２４ｂに設けた内側及び下方に開口する嵌合溝２５に嵌入して位置決めし、固定支柱２６にねじ止めするようにしたので、厳密な位置決めを要求されるフックスイッチ５０を、容易かつ確実に所定の位置に取付けることができる。
【００２７】
また、プリント基板５５は小形で撓みが生じにくいため、撓みの影響を受けてフックスイッチ５０のＯＮ，ＯＦＦ動作に支障をきたすことがない。さらに、例えば、キャビネット本体１００内の図示しないメインのプリント基板にフックスイッチ５０を搭載した場合に、このメインのプリント基板の他の部品が故障したりして交換作業を行う場合は、フックスイッチ５０の厳密な位置決めや再調整等の煩雑な作業が必要であるが、フックスイッチ５０を小形のプリント基板５５に搭載したのでこのような作業が不要になり、フックスイッチ５０等が故障した場合の交換作業が容易である。
【００２８】
【発明の効果】
本発明に係る通話装置の部品取付構造は、モジュラージャック及びこれを搭載したプリント基板を取付部の係止片と保持部との間に挾持し、かつモジュラージャックの上端部を係止爪で係止するようにしたので、通話器パネルへのモジュラージャックの着脱を容易かつ確実に行うことができて、所定の位置に確実に固定することができる。また、送受話器のカールコードに設けたコネクタを着脱する際に、モジュラージャックが動揺することがないので、プリント基板に内部配線を接続するはんだにひび割れを生じたり剥離したりすることがない。
【００２９】
また、本発明に係る通話装置の部品取付構造は、フックスイッチが搭載されたプリント基板を、通話器パネルに設けた一対の嵌合溝に嵌合して固定支柱に固定するようにしたので、厳密な位置決めを必要とするフックスイッチを容易かつ確実に所定の位置に取付けることができる。
【図面の簡単な説明】
【図１】本発明の一実施の形態に係る通話装置の部品取付構造の背面図である。
【図２】図１の側面図である。
【図３】図１の分解斜視図である。
【図４】モジュラージャックの取付部への取付手順を説明するための説明図である。
【図５】フックスイッチの取付部への取付手順を説明するための説明図である。
【図６】本発明に係る通話装置を備えた防災監視盤の正面図である。
【符号の説明】
１　通話装置、２　通話器パネル、１０　モジュラージャックの取付部、１２開口部、１４　係止片、１５　係止爪、１６ａ，１６ｂ　保持部、２０　フックスイッチの取付部、２１　開口部、２４ａ，２４ｂ　支持支柱、２５　嵌合溝、２６　固定支柱、３０　モジュラージャック、３３　コネクタの接続口、３４プリント基板、４０　フック、４２　フック部、５０　フックスイッチ、５２アクチュエータ、５５　プリント基板、６０　送受話器、６１　カールコード。
【図１】
2004104469.tif 000003
【図２】
2004104469.tif 000004
【図３】
2004104469.tif 000005
【図４】
2004104469.tif 000006
【図５】
2004104469.tif 000007
【図６】
2004104469.tif 000008